(57)【要約】【課題】電気機器における無線通信デバイスの接続状況を的確に検出できる通信システムを提供する。【解決手段】電気機器は、無線通信用の無線通信デバイスを接続・取外し自在に有するとともに、外部機器との通信用ケーブルを接続・取外し自在に有する。管理装置は、電気機器における無線通信デバイスの接続状況を、通信用ケーブルを介して電気機器との通信が可能な状況では同通信用ケーブルを介した通信により判定し、通信用ケーブルを介して電気機器との通信が可能でない状況では無線通信デバイスを介した無線通信により判定する。【選択図】図６
2014132723.tif 000002
【特許請求の範囲】
【請求項１】
無線通信用の無線通信デバイスを接続・取外し自在に有するとともに、外部機器との通信用ケーブルを接続・取外し自在に有する電気機器と、
前記電気機器における前記無線通信デバイスの接続状況を、前記通信用ケーブルを介して前記電気機器との通信が可能な状況では同通信用ケーブルを介した通信により判定し、前記通信用ケーブルを介して前記電気機器との通信が可能でない状況では前記無線通信デバイスを介した無線通信により判定する管理装置と、
を備えることを特徴とする通信システム。
【請求項２】
前記管理装置は、
前記通信用ケーブルを介した前記電気機器との通信が可能な状況にあるとき、所定操作ありの知らせを前記電気機器から受け、その後で前記無線通信デバイスが取外された旨の知らせを前記電気機器から受けた場合に、前記無線通信デバイスの取外しが正当であると判定し、
前記通信用ケーブルを介した前記電気機器との通信が可能な状況にあるとき、前記所定操作ありの知らせを前記電気機器から受けないまま、前記無線通信デバイスが取外された旨の知らせを前記電気機器から受けた場合に、前記無線通信デバイスの取外しが不当であると判定し、
前記通信用ケーブルを介した前記電気機器との通信が可能な状況になく、前記無線通信デバイスを介した前記電気機器との無線通信が可能な状況にあるとき、前記所定操作ありの知らせを前記電気機器から受け、その後で前記無線通信デバイスを介した無線通信が遮断された場合に、前記無線通信デバイスが正当に取外されたと判定し、
前記通信用ケーブルを介した前記電気機器との通信が可能な状況になく、前記無線通信デバイスを介した前記電気機器との無線通信が可能な状況にあるとき、前記所定操作ありの知らせを前記電気機器から受けないまま、前記無線通信デバイスを介した無線通信が遮断された場合に、前記無線通信デバイスが不当に取外されたと判定する、
ことを特徴とする請求項１に記載の通信システム。
【請求項３】
前記電気機器は、
前記通信用ケーブルの接続用として当該電気機器の前面または側面に設けた第１端子と、
前記無線通信デバイスの接続用として当該電気機器の背面に設けた第２端子と、
を備える、
ことを特徴とする請求項１または請求項２に記載の通信システム。
【請求項４】
前記電気機器は、
前記無線通信デバイスが前記第２端子に接続された場合はその無線通信デバイスの動作を無条件に許容し、前記無線通信デバイスが前記第１端子に接続された場合はその無線通信デバイスの動作を特定の操作があることを条件に許容する制御手段、
を備える、
ことを特徴とする請求項１乃至請求項３のいずれかに記載の通信システム。
【請求項５】
前記管理装置は、表示手段を有し、前記判定の結果をその表示手段の表示により報知する、
ことを特徴とする請求項１乃至請求項４のいずれかに記載の通信システム。
【発明の詳細な説明】
【技術分野】
【０００１】
本発明の実施形態は、無線通信デバイスを接続・取外し自在に有する電気機器およびこの電気機器を管理する管理装置からなる通信システムに関する。
【背景技術】
【０００２】
コピー機能、スキャン機能、プリント機能など複数の機能を併せ持つ電気機器たとえば複合型のディジタル複写機いわゆるＭＦＰ（Multifunction printer）が知られている。
【０００３】
このＭＦＰの場合、コピー処理のほかに、外部機器から無線送信されるデータを取込んで内部メモリに保存する処理、その保存したデータを必要に応じてプリント出力する処理、原稿台に載置される書類の画像をスキャンしてそのスキャンデータを外部機器に送信する処理など、種々の処理が可能である。
【０００４】
オフィス等の無線通信環境の拡充に伴い、無線通信デバイスをオプション機器として備え、その無線通信デバイスの取り付けにより外部機器との無線通信を可能とするＭＦＰも登場している。このようなＭＦＰは、周辺機器接続用の端子たとえば外部ＵＳＢ端子を備える。この外部ＵＳＢ端子に無線通信デバイスが接続される。
【先行技術文献】
【特許文献】
【０００５】
【特許文献１】特開２００２−１０３７３８号公報
【発明の概要】
【発明が解決しようとする課題】
【０００６】
周辺機器接続用の外部ＵＳＢ端子は、ＭＦＰの外周面に配置される。このため、外部ＵＳＢ端子に接続される無線通信デバイスを誰もが容易に取外して持ち出すことができる。この取外しおよび持ち出しについては、無線通信デバイスの扱いが許可された使用者や管理者あるいはサービスマンによるものであれば、問題はない。しかしながら、扱いが許可されていない第三者による不当な取外しおよび持ち出しについては、それが分かるようにする何らかの対策が必要である。
【０００７】
実施形態の目的は、電気機器における無線通信デバイスの接続状況を的確に検出できる通信システムを提供することである。
【課題を解決するための手段】
【０００８】
一実施形態の通信システムは、電気機器および管理装置を備える。電気機器は、無線通信用の無線通信デバイスを接続・取外し自在に有するとともに、外部機器との通信用ケーブルを接続・取外し自在に有する。管理装置は、前記電気機器における前記無線通信デバイスの接続状況を、前記通信用ケーブルを介して前記電気機器との通信が可能な状況では同通信用ケーブルを介した通信により判定し、前記通信用ケーブルを介して前記電気機器との通信が可能でない状況では前記無線通信デバイスを介した無線通信により判定する。
【図面の簡単な説明】
【０００９】
【図１】一実施形態のＭＦＰの正面側を示すとともにその正面側の外部ＵＳＢ端子に接続される通信用ケーブルを示す図。
【図２】一実施形態のＭＦＰの背面側を示すとともにおよびその背面側の外部ＵＳＢ端子に接続される無線通信デバイスを示す図。
【図３】一実施形態のＭＦＰの制御回路のブロック図。
【図４】一実施形態の管理装置の制御回路のブロック図。
【図５】一実施形態のＭＦＰのＣＰＵが実行する制御を示すフローチャート。
【図６】一実施形態の管理装置のＣＰＵが実行する制御を示すフローチャート。
【発明を実施するための形態】
【００１０】
以下、一実施形態について図面を参照して説明する。  
図１において、１は電気機器たとえば複合型のディジタル複写機いわゆるＭＦＰ（Multifunction printer）で、コピー機能、スキャン機能、プリント機能など複数の機能を併せ持つ。このＭＦＰ１は、上部に原稿台２およびコントロールパネル３を配置し、その原稿台２上に自動原稿送り装置（ＡＤＦ）４を開閉自在に備えるとともに、互いに異なるサイズの用紙を収容した複数の給紙カセット５を下部に備える。
【００１１】
ＭＦＰ１は、前面（または側面）の所定位置に周辺機器接続用の第１端子として外部ＵＳＢ（Universal Serial bus）端子１１，１２を露出して備える。この外部ＵＳＢ端子１１，１２のいずれか一方に、オプション機器である通信用ケーブル１４の一端が接続・取外し自在に接続される。通信用ケーブル１４の他端は、外部機器たとえば管理装置３０に接続される。管理装置３０は、ＭＦＰ１の管理者が所有する例えばパーソナルコンピュータであり、表示手段としてディスプレイ３１を有し、操作手段としてキーボード３２を有する。
【００１２】
また、ＭＦＰ１は、図２に示すように、背面の所定位置に周辺機器接続用の第２端子として外部ＵＳＢ端子１３を露出して備える。この外部ＵＳＢ端子１３に、オプション機器である無線通信デバイス１５が接続・取外し自在に接続される。無線通信デバイス１５は、通信ネットワークたとえばＬＡＮ１６を介して上記管理装置３０との無線通信を行うことができる。なお、外部ＵＳＢ端子１３は、無線通信デバイス１５の扱いが許可されている使用者・管理者・サービスマン等を除く第三者には気づかれないよう、背面側の配置としている。
【００１３】
ＭＦＰ１の制御回路を図３に示す。制御の中枢となるＣＰＵ２０に、ＲＯＭ２１、ＲＡＭ２２、ハードディスクドライブ（ＨＤＤ）２３、スキャナ部２４、プリント部２５、上記コントロールパネル３、ネットワークインタフェース２６、ＵＳＢインタフェース２７，２８，２９が接続される。ＲＯＭ２１は、各種制御プログラムを記憶する。ＲＡＭ２２は、各種データを記憶する。スキャナ部２４は、上記原稿台２および自動原稿送り装置（ＡＤＦ）４を含み、スキャン機能たとえばスキャンtoボックス機能、スキャンtoファイル機能、スキャンto E-mail機能を有する。プリント部２５は、上記給紙カセット５から供給される用紙に画像をプリントする。
【００１４】
ネットワークインタフェース２６は、通信用ケーブル１４と同様の通信用ケーブルを介して通信ネットワークに接続される。ＵＳＢインタフェース２７は、外部ＵＳＢ端子１１を含み、その外部ＵＳＢ端子１１に接続される機器とＣＰＵ２０との間のデータのやり取りを仲介する。ＵＳＢインタフェース２８は、外部ＵＳＢ端子１２を含み、その外部ＵＳＢ端子１２に接続される機器とＣＰＵ２０との間のデータのやり取りを仲介する。ＵＳＢインタフェース２９は、外部ＵＳＢ端子１３を含み、その外部ＵＳＢ端子１３に接続される機器とＣＰＵ２０との間のデータのやり取りを仲介する。
【００１５】
そして、ＣＰＵ２０は、主要な機能として次の（１）〜（４）の手段を備える。  
（１）ネットワークインタフェース２６に通信用ケーブルおよび通信ネットワークを介して接続される外部機器との通信を制御し、外部ＵＳＢ端子１１，１２のいずれかに通信用ケーブル１４を介して接続される外部機器たとえば管理装置３０との通信を制御し、外部ＵＳＢ端子１３（または外部ＵＳＢ端子１１，１２）に無線通信デバイス１５およびＬＡＮ１６を介して接続される外部機器たとえば管理装置３０との無線通信を制御する第１制御手段。
【００１６】
（２）通信用ケーブル１４（またはネットワークインタフェース２６・通信用ケーブル・通信ネットワーク）を介して管理装置３０との通信が可能な状況にあるとき、無線通信デバイス１５の接続・取外しに関わる情報を通信用ケーブル１４（またはネットワークインタフェース２６・通信用ケーブル・通信ネットワーク）を介した通信により管理装置３０に知らせる第２制御手段。
【００１７】
（３）通信用ケーブル１４（またはネットワークインタフェース２６・通信用ケーブル・通信ネットワーク）を介して管理装置３０との通信が可能な状況になく、無線通信デバイス１５（およびＬＡＮ１６）を介して管理装置３０との無線通信が可能な状況にあるとき、無線通信デバイス１５の接続・取外しに関わる情報を無線通信デバイス１５（およびＬＡＮ１６）を介した無線通信により管理装置３０に知らせる第３制御手段。
【００１８】
（４）外部ＵＳＢ端子１３に無線通信デバイス１５が接続された場合はその無線通信デバイス１５の動作を無条件に許容し、外部ＵＳＢ端子１１，１２に無線通信デバイス１５が接続された場合はその無線通信デバイス１５の動作を特定の操作があることを条件に許容する第４制御手段。
【００１９】
管理装置３０の制御回路を図４に示す。制御の中枢となるＣＰＵ４０に、ＲＯＭ４１、ＲＡＭ４２、ハードディスクドライブ（ＨＤＤ）４３、ネットワークインタフェース４４、上記ディスプレイ３１、上記キーボード３２、ＵＳＢインタフェース４５、および無線ＬＡＮカード４６が接続される。
【００２０】
ＲＯＭ４１は、各種制御プログラムを記憶する。ＲＡＭ４２は、各種データを記憶する。ネットワークインタフェース４４は、通信用ケーブル１４と同様の通信用ケーブルを介して通信ネットワークに接続される。ＵＳＢインタフェース４５は、通信用ケーブル１４の接続と取外しが可能な外部ＵＳＢ端子を含み、その外部ＵＳＢ端子に接続される機器とＣＰＵ４０との間のデータのやり取りを仲介する。無線ＬＡＮカード４６は、ＬＡＮ１６を介して無線通信デバイス１５との無線通信を行う。
【００２１】
そして、ＣＰＵ４０は、主要な機能として、次の（１１）〜（１３）の手段を備える。  
（１１）通信用ケーブル１４（またはネットワークインタフェース２６・通信用ケーブル・通信ネットワーク）を介してＭＦＰ１との通信が可能な状況にあるとき、ＭＦＰ１における無線通信デバイス１５の接続状況を、通信用ケーブル１４（またはネットワークインタフェース２６・通信用ケーブル・通信ネットワーク）を介した通信により判定する第１判定手段。具体的には、所定操作ありの知らせをＭＦＰ１から受け、その後で無線通信デバイス１５が取外された旨の知らせをＭＦＰ１から受けた場合に、無線通信デバイス１５が正当に取外されたと判定する。上記所定操作ありの知らせをＭＦＰ１から受けないまま、無線通信デバイス１５が取外された旨の知らせをＭＦＰ１から受けた場合に、無線通信デバイス１５が不当に取外されたと判定する。
【００２２】
（１２）通信用ケーブル１４（またはネットワークインタフェース２６・通信用ケーブル・通信ネットワーク）を介してＭＦＰ１との通信が可能な状況になく、無線通信デバイス１５（およびＬＡＮ１６）を介したＭＦＰ１との無線通信が可能な状況にあるとき、ＭＦＰ１における無線通信デバイス１５の接続状況を、無線通信デバイス１５（およびＬＡＮ１６）を介した無線通信により判定する判定手段。具体的には、上記所定操作ありの知らせをＭＦＰ１から受け、その後で無線通信デバイス１５（およびＬＡＮ１６）を介した無線通信が遮断された場合に、無線通信デバイス１５が正当に取外されたと判定する。上記所定操作ありの知らせをＭＦＰ１から受けないまま、無線通信デバイス１５（およびＬＡＮ１６）を介した無線通信が遮断された場合に、無線通信デバイス１５が不当に取外されたと判定する。  
（１３）上記各判定手段の判定結果をディスプレイ３１の表示により報知する報知手段。
【００２３】
つぎに、ＭＦＰ１のＣＰＵ２０が実行する制御を図５のフローチャートを参照しながら説明する。  
ＣＰＵ２０は、無線通信デバイス１５が背面側の外部ＵＳＢ端子１３に接続された場合（ステップ１０１のＹＥＳ）、その無線通信デバイス１５の動作（無線通信動作）を無条件に許容とする（ステップ１０２）。
【００２４】
ＣＰＵ２０は、無線通信デバイス１５が前面側の外部ＵＳＢ端子１１，１２のいずれかに接続された場合（ステップ１０１のＮＯ、ステップ１０３のＹＥＳ）、コントロールパネル３で事前に特定の操作があることを条件に（ステップ１０４のＹＥＳ）、接続された無線通信デバイス１５の動作を許容とする（ステップ１０２）。特定の操作とは、本来は無線通信デバイス用ではない外部ＵＳＢ端子１１，１２を無線通信デバイス用として例外的に使用する場合にコントロールパネル３において必須となる操作であって、無線通信デバイス１５の扱いが許可されている使用者や管理者、さらにはＭＦＰ１の保守点検を業務とするサービスマン等にだけ知らされている例えばコード入力操作である。
【００２５】
ＣＰＵ２０は、外部ＵＳＢ端子１１，１２に無線通信デバイス１５が接続される前に上記特定の操作がなかった場合（ステップ１０４のＮＯ）、外部ＵＳＢ端子１１，１２に接続された無線通信デバイス１５の動作を禁止する（ステップ１０５）。
【００２６】
前面側の外部ＵＳＢ端子１１，１２に無線通信デバイス１５を接続する処置は、ＭＦＰ１内の情報を専用端末に取込んで確認する保守点検時などによく行う。ＭＦＰ１をパーソナルコンピュータや管理装置３０などの外部機器と無線接続して使用する通常の業務では、背面側の外部ＵＳＢ端子１３に無線通信デバイス１５を接続する。
【００２７】
また、ＣＰＵ２０は、通信用ケーブル１４（またはネットワークインタフェース２６・通信用ケーブル・通信ネットワーク）を介して管理装置３０との通信が可能な状況にあるとき（ステップ１０６のＹＥＳ）、無線通信デバイス１５の接続・取外しに関わる情報を通信用ケーブル１４（またはネットワークインタフェース２６・通信用ケーブル・通信ネットワーク）を介した無線通信により管理装置３０に知らせる（ステップ１０７）。
【００２８】
無線通信デバイス１５の接続・取外しに関わる情報とは、無線通信デバイス１５が取外された場合にそれを管理装置３０に知らせる情報、無線通信デバイス１５を取外したい場合に事前に必要となる所定操作があったかどうかを管理装置３０に知らせる情報などを含む。所定操作とは、無線通信デバイス１５を外部ＵＳＢ端子１１，１２，１３から取外す場合にコントロールパネル３において必須となる操作であって、無線通信デバイス１５の扱いが許可されている使用者、管理者、サービスマン等にだけ知らされている例えばコード入力操作である。
【００２９】
ＣＰＵ２０は、通信用ケーブル１４（またはネットワークインタフェース２６・通信用ケーブル・通信ネットワーク）を介して管理装置３０との通信が可能な状況になく、無線通信デバイス１５（およびＬＡＮ１６）を介して管理装置３０との無線通信が可能な状況にあるとき（ステップ１０６のＮＯ）、無線通信デバイス１５の接続・取外しに関わる情報を無線通信デバイス１５（およびＬＡＮ１６）を介した無線通信により管理装置３０に知らせる（ステップ１０８）。
【００３０】
一方、管理装置３０のＣＰＵ４０が実行する制御を図６のフローチャートを参照しながら説明する。  
ＣＰＵ４０は、通信用ケーブル１４（またはネットワークインタフェース２６・通信用ケーブル・通信ネットワーク）を介してＭＦＰ１との通信が可能な状況にあるとき（ステップ２０１のＹＥＳ）、所定操作ありの知らせをＭＦＰ１から受けると（ステップ２０２のＹＥＳ）、その後で無線通信デバイス１５が取外された旨の知らせがあるかどうか監視する（ステップ２０３）。
【００３１】
ＣＰＵ４０は、所定操作ありの知らせをＭＦＰ１から受けた後で（ステップ２０２のＹＥＳ）、無線通信デバイス１５が取外された旨の知らせをＭＦＰ１から受けると（ステップ２０３のＹＥＳ）、無線通信デバイス１５が正当に取外されたと判定する（ステップ２０４）。そして、ＣＰＵ４０は、この判定結果をディスプレイ３１の表示により報知する（ステップ２０５）。ディスプレイ３１の表示を見た管理者は、無線通信デバイス１５がＭＦＰ１から取外されたが、その取外しは使用者やサービスマンによる正当なものであることを認識する。
【００３２】
ＣＰＵ４０は、所定操作ありの知らせをＭＦＰ１から受けた後（ステップ２０２のＹＥＳ）、無線通信デバイス１５が取外された旨の知らせをＭＦＰ１から受けないまま（ステップ２０３のＮＯ）、取消し操作ありの知らせをＭＦＰ１から受けた場合は（ステップ２０６のＹＥＳ）、判定を行うことなく、初めのステップ２０１に戻る。取消し操作とは、無線通信デバイス１５をＭＦＰ１から一旦は取外そうとした使用者や管理者あるいはサービスマンが、何らかの理由で取外しを中断する場合にコントロールパネル３において行う例えばクリアキー操作のことである。
【００３３】
ＣＰＵ４０は、所定操作ありの知らせをＭＦＰ１から受けないまま（ステップ２０２のＮＯ）、無線通信デバイス１５が取外された旨の知らせをＭＦＰ１から受けた場合は（ステップ２０７のＹＥＳ）、無線通信デバイス１５が不当に取外されたと判定する（ステップ２０８）。そして、ＣＰＵ４０は、この判定結果をディスプレイ３１の表示により報知する（ステップ２０５）。このディスプレイ３１の表示を見た管理者は、無線通信デバイス１５が使用者やサービスマンを除く第三者によって不当に取外されたことを認識する。
【００３４】
また、ＣＰＵ４０は、通信用ケーブル１４（またはネットワークインタフェース２６・通信用ケーブル・通信ネットワーク）を介してＭＦＰ１との通信が可能な状況になく、無線通信デバイス１５（およびＬＡＮ１６）を介してＭＦＰ１との無線通信が可能な状況にあるとき（ステップ２０１のＮＯ）、所定操作ありの知らせをＭＦＰ１から受けると（ステップ２０９のＹＥＳ）、その後で無線通信デバイス１５（およびＬＡＮ１６）を介したＭＦＰ１との無線通信が遮断されるかどうか監視する（ステップ２１０）。
【００３５】
ＣＰＵ４０は、所定操作ありの知らせをＭＦＰ１から受けた後で（ステップ２０９のＹＥＳ）、無線通信デバイス１５（およびＬＡＮ１６）を介したＭＦＰ１との無線通信が遮断されると（ステップ２１０のＹＥＳ）、タイムカウントｔを実行し（ステップ２１１）、そのタイムカウントｔと設定時間ｔ１とを比較する（ステップ２１２）。設定時間ｔ１は、無線通信のリトライ処置を数回含む時間であり、例えば５秒〜１０秒が選定される。
【００３６】
ＣＰＵ４０は、無線通信が遮断のまま（ステップ２１０のＹＥＳ）、タイムカウントｔが進んで設定時間ｔ１に達すると（ステップ２１１、ステップ２１２のＹＥＳ）、無線通信の遮断が通信異常によるものではなく無線通信デバイス１５の外れによるものであるとの判断の下に、無線通信デバイス１５が正当に取外されたと判定する（ステップ２１３）。そして、ＣＰＵ４０は、この判定結果をディスプレイ３１の表示により報知する（ステップ２０５）。ディスプレイ３１の表示を見た管理者は、無線通信デバイス１５がＭＦＰ１から取外されたが、その取外しは使用者やサービスマンによる正当なものであることを認識する。
【００３７】
ＣＰＵ４０は、所定操作ありの知らせをＭＦＰ１から受けた後（ステップ２０９のＹＥＳ）、無線通信デバイス１５（およびＬＡＮ１６）を介したＭＦＰ１との無線通信が遮断されないまま（ステップ２１０のＮＯ）、取消し操作ありの知らせをＭＦＰ１から受けた場合は（ステップ２１４のＹＥＳ）、判定を行うことなく、初めのステップ２０１に戻る。
【００３８】
ＣＰＵ４０は、所定操作ありの知らせをＭＦＰ１から受けないまま（ステップ２０９のＮＯ）、無線通信デバイス１５（およびＬＡＮ１６）を介したＭＦＰ１との無線通信が遮断された場合は（ステップ２１５のＹＥＳ）、タイムカウントｔを実行し（ステップ２１６）、そのタイムカウントｔと設定時間ｔ１とを比較する（ステップ２１７）。
【００３９】
ＣＰＵ４０は、所定操作ありの知らせを受けないまま（ステップ２０９のＮＯ）、しかも無線通信が遮断したまま（ステップ２１５のＹＥＳ）、タイムカウントｔが進んで設定時間ｔ１に達すると（ステップ２１６、ステップ２１７のＹＥＳ）、無線通信の遮断が通信異常ではなく無線通信デバイス１５の外れによるものであるとの判断の下に、無線通信デバイス１５が不当に取外されたと判定する（ステップ２１８）。そして、ＣＰＵ４０は、この判定結果をディスプレイ３１の表示により報知する（ステップ２０５）。このディスプレイ３１の表示を見た管理者は、無線通信デバイス１５が使用者やサービスマンを除く第三者によって不当に取外されたことを認識する。
【００４０】
以上のように、ＭＦＰ１における無線通信デバイス１５の接続状況をその取外しが正当であるか不当であるかを含めて的確に検出することができる。管理者は、無線通信デバイス１５の取外しが不当との判定結果が管理装置３０から得られた場合には、取外された無線通信デバイス１５が第三者によって不正に持ち出された可能性のあることを認識することができる。この認識は、ＭＦＰ１および無線通信デバイス１５を管理する上で、またＭＦＰ１による以後の業務を遂行する上でも、重要な情報となる。
【００４１】
なお、上記実施形態では、前面に２つの外部ＵＳＢ端子１１，１２を配置し、背面に１つの外部ＵＳＢ端子１３を配置する構成としたが、その配置の位置および個数についてとくに限定はなく、適宜に選定可能である。
【００４２】
その他、上記実施形態は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００４３】
１…ＭＦＰ（電気機器）、２…原稿台、３…コントロールパネル、４…自動原稿送り装置、５…給紙カセット、１１，１２…外部ＵＳＢ端子、１３…外部ＵＳＢ端子、１４…通信用ケーブル、１５…無線通信デバイス、１６…ＬＡＮ、２０…ＣＰＵ、２７，２８，２９…ＵＳＢインタフェース、３０…管理装置（外部機器）、３１…ディスプレイ、３２…キーボード、４０…ＣＰＵ、４５…ＵＳＢインタフェース、４６…無線ＬＡＮカード
【図１】
2014132723.tif 000003
【図２】
2014132723.tif 000004
【図３】
2014132723.tif 000005
【図４】
2014132723.tif 000006
【図５】
2014132723.tif 000007
【図６】
2014132723.tif 000008